(57)【要約】【課題】履き心地がよく、通気性と保温性を簡単なに確保できる男性用下着を提供することを目的としている。【解決手段】本発明の男性用下着は、左右の足入れ部と股部を備え、前記足入れ部の前側部分を形成する左右の前身頃を備え、前前記左右の前身頃の中央下裾部を裏面側に折り返し、折り返した中央下裾部の一部を前記左右の前身頃の略中央裏面側に結合して、前記股部の前上方の両側に通気ゆとり部を形成してなり、通常の男性用の下半身用衣類と変わらず履き心地が良く、通気性が保たれつつかつ保温性にも良い効果が期待できるものであり、二律背反の下着を得ることができる。【選択図】図１
2014091900.tif 000002
【特許請求の範囲】
【請求項１】
左右の足入れ部と股部を備える男性用下着であって、前記足入れ部の前側部分を形成する左右の前身頃を備え、前記左右の前身頃の中央下裾部を裏面側に折り返し、折り返した中央下裾部の一部を前記左右の前身頃の略中央裏面側に結合して、前記股部の前上方の両側に通気ゆとり部を形成してなることを特徴とする男性用下着。
【請求項２】
前記左右の前身頃の中央下裾部の一部と前記左右の前身頃の中央裏面側部との結合部の下側に筒状の空間部を形成し、この筒状の空間部が前記通気ゆとり部と連通してなることを特徴とする請求項１に記載の男性用下着。
【請求項３】
前記左右の前身頃の下裾部の下方に前垂れ部を延出してなることを特徴とする請求項１および２に記載の男性用下着。
【発明の詳細な説明】
【技術分野】
【０００１】  本発明は、男子用の下半身用衣類、即ち、男性用のトランクス、ブリーフ、ボクサーブリーフ等の男性用下着に関するものである。
【背景技術】
【０００２】  従来、男性用下着には、トランクスやブリーフ、ボクサーブリーフなど色々なタイプがある。例えば、トランクスは脚の部分は、二股に分かれ脚の部分の裾に余裕があり、だぶだぶに形成されており、男性器部分が収容される専用のスペースはないものである。ブリーフは、前中央に膨らみを持たせて男性器部分の収納部が形成されており、男性器部分を安定的に収納するように形成されているものある。【０００３】  しかしながら、トランクスでは裾がだぶだぶに余裕のあるように形成されているため、男性器部分が窮屈でなく、また通気性が良いものであるが、秋から冬の季節では下半身の体温を保持するには欠点があり、特に高齢者にとっては不向きなものであった。一方、ブリーフ、ボクサーブリーフでは、男性器部分が収容されるように中央部に膨らみを持たせて形成されているため、男性器部分の安定性はよく体温の保持という観点からは良いものの、収納部に男性器部分が圧迫された状態で収納されて窮屈に感じる人もおり、特に高齢者にとって体にやさしくない下着となる恐れがあった。
【先行技術文献】
【特許文献】
【０００４】
【特許文献１】  特開２０００−３０３２０４号公報
【発明の概要】
【発明が解決しようとする課題】
【０００５】  トランクス型のパンツである特許文献１では、前股部の中央両内側にフレア部が形成され、更に内側の前中央部分に支持帯を形成したものが提案されている。特許文献１では、左右の前身頃の下部中央における布地部分をくの字形に対向するように突設して裁断し、縫製した際に股部の中央両内側にフレア部が形成され、更に男性器部分の抱持性を良好にするために内側の前中央部に支持帯を形成するものである。【０００６】  しかしながら、特許文献１のパンツでは、特殊な形状に裁断する必要があり、またそのままでは履き心地がよくないため、履き心地をよくするためや抱持性を良好にするために支持帯を付加する必要があり、煩雑な工数や余分な布地が必要でありコスト高になる問題を有していた。また、一見、フレア部にて通気性が改良されたように見えるが、抱持性を良好にするために支持帯によって、通気性は改善されてはおらず、通気性と履き心地感の両方を改良したものではなかった。【０００７】  本発明は、以上のような従来の欠点に鑑み、履き心地がよく、通気性と保温性を簡単に確保できる男性用下着を提供することを目的としている。即ち、トランクスでは、通気性を確保しつつ男性器部分の収容スペースを形成し、一方、ブリーフ、ボクサーブリーフでは男性器部分が締め付けられているような不愉快感を解消しつつ通気性を確保できることを提供するものである。
【課題を解決するための手段】
【０００８】  本発明の請求項１に記載の男性用下着は、左右の足入れ部と股部を備えるものであって、前記足入れ部の前側部分を形成する左右の前身頃を備え、前記左右の前身頃の中央下裾部を裏面側に折り返し、折り返した中央下裾部の一部を前記左右の前身頃の略中央裏面側に結合して、前記股部の前上方の両側に通気ゆとり部を形成してなることを特徴とする。【０００９】  本発明の請求項２に記載の男性用下着は、前記左右の前身頃の中央下裾部の一部と前記左右の前身頃の中央裏面側部との結合部の下側に筒状の空間部が形成され、この筒状の空間部が前記通気ゆとり部と連通してなることを特徴とする。【００１０】  本発明の請求項３に記載の男性用下着は、前記左右の前身頃の下裾部の下方に前垂れ部を延出してなることを特徴とする。
【発明の効果】
【００１１】  本発明の請求項１に記載の男性用下着によれば、簡単に通気ゆとり部を形成でき、通常の男性用の下半身用衣類と変わらず履き心地が良く、通気性が保たれつつかつ保温性にも良い二律背反の下着を得ることができる。【００１２】  本発明の請求項２に記載の男性用下着によれば、筒状の空間部によって通気ゆとり部と連動して更に通気性の向上が期待できるものである。【００１３】  本発明の請求項３に記載の男性用下着によれば、左右の前身頃の中央下裾部の一部を左右の前身頃の中央裏面側に結合すると裾が上がる状態となり見栄えが悪くなるが、前身頃の下裾部の下方に前垂れ部を延出してなるので、前垂れ部によって、通常の下着のように見えて見栄えが悪くならず、また、通気性を確保しつつも保温性にも効果をより一層発揮できるものである。
【図面の簡単な説明】
【００１４】
【図１】  本発明の第１の実施形態に係る男性用下着を裏返しした状態を示す正面方向からの斜視図である。
【図２】  本発明の第１の実施形態の別形態に係る男性用下着を裏返しした状態を示す正面図である。
【図３】  本発明の第２の実施形態に係る男性用下着を示す正面図である。
【発明を実施するための形態】
【００１５】  本発明の男性用下着では、大きくトランクス型、ブリーフ型、ボクサーブリーフ型の三通りの形状となるものである。材質は綿製がよく、綿と化繊の混合でも良いものである。
【００１６】［第１の実施形態］
以下図面を参照しながら、本発明に従う男性用下着Ａのトランクス型の第１の実施形態について説明する。図１は男性用下着Ａを裏返しした状態を示す正面方向からみた斜視図である。
【００１７】  図１において、男性用下着Ａは、上端にはゴムバンド部１１が形成されており、下方には左右の脚を挿入できる足入れ部１０、１０が形成されており、足入れ部１０、１０の間には股部５が形成されており、男性用下着Ａの前側の部分は左右の前身頃１、１となり、左右の前身頃１、１間は前開き部１２である。この左右の前身頃１、１のそれぞれの中央の下裾部２、２の一部が裏面側に折り返されて、左右の前身頃１、１の略中央裏面側に縫合されて結合部３が形成されている。図１においては、裏返し状態であるので、下裾部２、２の一部の折り返し方向は図の正面側（外側）に折り返されていることになっている。即ち、裏返し状態でない通常状態では、折り返し方向は裏面側に折り返しされていることになる。そして、左右の前身頃１、１において、前身頃１の中央下裾部２の一部が折り返されて右の前身頃１、１の略中央裏面側に縫合されて結合部３を形成されているため、股部５の前上方の両側には外方に袋状となるダーツ状の空間が形成されることになり、通気ゆとり部４、４が設けられることになる。なお、下裾部２は前身頃１の下端だけを意味するのではなく、前身頃１の下部全体を意味するものである。
【００１８】  即ち、本発明の第１の実施形態のトランクス型の男性用下着Ａでは、股部５の前上方の両側に通気ゆとり部４、４が形成されることにより、従来のトランクス型ではない男性器部分を収納する部分が形成されることになり、男性器部分が安定して、ブリーフ型でないソフトなもので、従来のトランクス型のゆとりを維持したままでの収納部分を形成することができる。そして、両側の通気ゆとり部４、４が中央部分を包み込む形となり、秋冬期の保温性を向上できることになる。また、この通気ゆとり部４、４は単に男性器部分を安定的に収納するだけでなく、両側に形成されるために、男性器部分を収納する部分にゆとりができて窮屈感が無く通気性も確保できるものであり、結果的に通気性と保温性の両方を備えることができ、特にトランクス型を着用する高齢者には良いものである。
【００１９】  また、左右の前身頃１、１の中央下裾部２、２の一部と、左右の前身頃１、１の中央裏面側部とを縫合して結着されるので、結合部３，３の下側では前身頃部分が重なりあって袋状となり、筒状の空間部４０、４０が形成されることになる。この筒状の空間部４０、４０と通気ゆとり部４、４とが連通状態となっておりより通気性が良いものとなる。なお、トランクス型では、通気ゆとり部４、４を構成した際に通気ゆとり部４、４以外に余分になった部分は前身頃に縫合しても良いものである。この筒状の空間部４０、４０が形成されているため、伸びる原資となるものである。
【００２０】  図１に示すように、左右の前身頃１，１の下裾部２、２の下端部分に前垂れ部６、６が延出して形成されている。前垂れ部６は後身頃部の裾長さと略同一とするのが良いものである。左右の前身頃１，１の下裾部の一部を中央裏面側に結合すると、そのままでは裾が上がる状態となり見栄えが悪くなるが、この前垂れ部６、６によって、通常の下着のように見えて見栄えが悪くならず、また、通気性を確保しつつも更に保温性の効果も発揮できるものである。この前垂れ部６、６は、男性用下着Ａとは別布にて略半円形状の布体によって前身頃１，１の下裾下端縁に縫着して、裾が上がった状態を解消しても良いものである。この実施形態では、別布にて前垂れ部６を形成したが、予め前垂れ部６が形成されるように布を裁断しても良いものである。
【００２１】  図２は、図１と同じく男性用下着Ａを裏返しした状態を示す正面図である。以下平面的な図においては、実際には立体的な形状なるものであることを考慮すべきである。図２では、前垂れ部６、６が無い状態を示すものであり、折り返す前の前身頃１の中央下裾部２、２の下端縁２１、２１（２点鎖線）の一部をそのまま折り返して前身頃１、１の略中央裏面側に縫合して結合部３が形成されて状態を示すものである。その開口された裾部分を前垂れ部６、６にて覆い隠すように延設した状態が、図１のようになるものである。図２において、２１（２点鎖線）は折り返す前の前身頃の下裾部の位置を示し、２２は後身頃の裾部である。
【００２２】［第２の実施形態］
本発明に従う男性用下着Ｂのブリーフ型の第２の実施形態について説明する。図３は男性用下着Ａを裏返しした状態を示す正面方向からみた正面図である。なお、上述した第１の実施形態の男性用下着Ａと略同一の部材には同一の符号を付し説明する。
【００２３】  図３において、ブリーフ型の男性用下着Ｂでは、正面の中央部分には外側に膨らみを持たした中央収納部７が形成されているものである。図では、中央収納部７に前開き状態を示すが、前閉じ形状に形成しても良いもよいものである。男性用下着Ｂの上端にはゴムバンド部１１が形成されており、下方には左右の脚を挿入できる足入れ部１０、１０が形成されている。足入れ部１０、１０の間には股部５が形成されており、男性用下着Ｂの前側の部分は左右の前身頃１、１となる。この左右の前身頃１、１のそれぞれの中央の下裾部２、２の一部が裏面側に折り返されて、左右の前身頃１、１の略中央の裏面側に縫合されて結合部３が形成されて、股部５の前上方の両側に通気ゆとり部４、が形成されることになる。即ち、中央収納部７の下方の両側に半袋状の通気ゆとり部４、４が形成されていることになる。この左右両側の通気ゆとり部４、４によって、中央部収納部７における男性器部分への圧迫性を減少させることが可能であり、従来のブリーフ型のものより履き心地が良くなるものであり、快適性と健康を向上させるものである。即ち、男性器部分の血流を良くすることができるものである。
【００２４】  さらに、この通気性ゆとり部４，４により、股部５の前上方の両側には空間部が形成されるので、通気性が良好となるものであり、中央収納部７と左右の通気性ゆとり部４，４との３ヶ所の男性器部分を収容できる部分ができることになる。また、この３ヶ所の収容部分の幅は略等分であることが好ましい。また、第１の実施形態と同様に前垂れ部６が形成されているものである。
【００２５】  人は立っている時、座っている時、寝ている時、走っている時など、いろいろと体の状態や姿勢が変化するものであるが、本発明の男性用下着は無理なく自在に体の動きにフィットするものである。
【実施例１】
【００２６】  実施例１では、ウェスト８４〜９４ｃｍに対応する大きさのＬ型のトランクス型男性用下着であり、結合部３の縫合位置は、男性用下着の上端（ゴムバンド部１１）から下方に約１８ｃｍ位置で、かつ下着の前正面の中央中心線から約１０ｃｍの位置である。この縫合位置での縫合巾は約３ｃｍであり、この結合部３の下に筒状の空間部４０が形成され、この空間部４０の筒径は約２ｃｍである。
【実施例２】
【００２７】  実施例２では、実施例１と同様の大きさＬ型のブリーフ型男性用下着であり、結合部３の縫合位置は、男性用下着の上端（ゴムバンド部１１）から下方に約１８ｃｍ位置で、かつ下着の横幅の中心線から約１０ｃｍの位置である。この縫合位置での縫合巾は約３ｃｍであり、この結合部３の下に筒状の空間部４０が形成され、この空間部４０の筒径は約２ｃｍである。【００２８】  以上、本発明の実施形態に係る下半身用衣類について添付の図面を参照して説明したが、本発明かかる実施形態に限定されず、本発明の範囲を逸脱することなく種々の変形乃至修正が可能である。
【符号の説明】
【００２９】  Ａ    トランクス型の男性用下着
Ｂ    ブリーフ型の男性用下着
１    前身頃
１０  足入れ部
２    下裾部
３    結合部
４    通気ゆとり部
４０  筒状の空間部
５    股部
６    前垂れ部
７    中央収納部
１１  ゴムバンド部
１２  前開き部
【図１】
2014091900.tif 000003
【図２】
2014091900.tif 000004
【図３】
2014091900.tif 000005